(57)【要約】【課題】従来の照明装置は、光による演出効果を得る機能や、人を検知して照明を点灯する機能、防犯のために夜間に人を検知した場合に威嚇発光する機能等について、それらの機能を兼ね備えて且つ適切な時間に必要な照明機能を適宜使い分けることができないという課題がある。【解決手段】屋外を照らす照明部１０と、人を検知する人検知手段１１と、人検知手段１１の検知信号を受けて照明部１０の点灯を制御する制御部１５と、時間を計測する時間計測手段１２を備え、時間計測手段１２により計測した時間によって光を調光させる演出モードと、人を検知して照明を点灯する照明モードと、人を検知して威嚇発光する防犯モードを切り替えるように制御したものであり、必要な照明機能を適宜使い分けることができることから、人の生活シーンに合わせた照明の機能を提供できるという効果が得られる。【選択図】図１
2011060529.tif 000002
【特許請求の範囲】
【請求項１】
屋外に設置した支柱に風力発電としての外風を受けて回転する風車と、前記風車と連結して前記風車の回転により発電する発電機を備え、太陽光発電としての日射を受けて発電する太陽光パネルを備え、風力発電及び太陽光発電により発電した電気を蓄電する蓄電池と、前記蓄電池の電気により屋外を照らす照明部と、人を検知する人検知手段と、前記人検知手段の検知信号を受けて前記照明部の点灯を制御する制御部と、時間を計測する時間計測手段を備え、制御部は、前記時間計測手段により計測した時間によって光を調光させる演出モードと、人を検知して照明を点灯する照明モードと、人を検知して威嚇発光する防犯モードを切り替えるように制御することを特徴とする照明装置。
【請求項２】
制御部は、人検知手段によって人を検知した回数を記憶する記憶手段を備え、時間計測手段により計測した一定時間に人を検知した回数から頻度を算出し、頻度が設定値以上又は設定値以下の場合にモードを切り替えるように制御することを特徴とする請求項１記載の照明装置。
【請求項３】
あらかじめ設定された期間において、記憶手段に蓄積された過去の時間と人検知履歴から検知パターンを予測する予測手段を備えた請求項２に記載の照明装置。
【請求項４】
制御部は、人検知手段により人を検知した後、時間計測手段により計測した一定時間経過後に防犯モードとなるように制御することを特徴とする請求項１から請求項３のいずれか１項に記載の照明装置。
【請求項５】
演出モードの際に人検知手段により人を検知した場合は、照明モードに切り替えるように制御することを特徴とする請求項１から請求項４のいずれか１項に記載の照明装置。
【請求項６】
制御部は、風車の回転数を検知する回転数検知手段を備え、演出モードは風車の回転数と同調して調光するように制御することを特徴とする請求項１から請求項５のいずれか１項に記載の照明装置。
【請求項７】
制御部は、演出モード時に照明の色調又は光量又は光の照射方向のいずれか１つ以上を変化させて調光するように制御することを特徴とする請求項１から請求項６のいずれか１項に記載の照明装置。
【請求項８】
制御部は、照明の色調は少なくとも白色、赤色に発色し、照明モードは白色、防犯モードは赤色を発光するように制御することを特徴とする請求項１から請求項７のいずれか１項に記載の照明装置。
【請求項９】
照明が必要となる程度に周囲が暗くなったことを検知する明るさ検知手段を備えた請求項１から請求項８のいずれか１項に記載の照明装置。
【請求項１０】
明るさ検知手段は、太陽光発電の発電量を計測する発電量計測手段である請求項９記載の照明装置。
【請求項１１】
明るさ検知手段は、照度センサである請求項９記載の照明装置。
【請求項１２】
制御部は、防犯モードの際、明るさ検知手段により周囲の明るさが設定値以上となった場合は防犯モードを終了するように制御することを特徴とする請求項８から請求項１１のいずれか１項に記載の照明装置。
【請求項１３】
制御部は、防犯モードの際、明るさ検知手段により周囲の明るさが時間経過と共に明るくなっていると検知した場合は、照明モードに切り替えるように制御することを特徴とする請求項８から請求項１２のいずれか１項に記載の照明装置。
【請求項１４】
制御部は、防犯モードを行わないように制御することができる請求項１から請求項１３のいずれか１項に記載の照明装置。
【請求項１５】
照明部を支柱の内部に備え、前記支柱の外郭は光を透過する素材とした請求項１から請求項１４のいずれか１項に記載の照明装置。
【請求項１６】
集音マイクを備えて、設定したレベル以上の音を検知しつつ、人検知手段により人を検知した場合は威嚇発光せず、照明を点灯する請求項１から請求項１５のいずれか１項に記載の照明装置。
【請求項１７】
来訪者が住居人を呼び出して会話できるインターホンを備えた請求項１から請求項１６のいずれか１項に記載の照明装置。
【請求項１８】
夜間、インターホンによって会話中は常に照明を点灯させる請求項１７記載の照明装置。
【請求項１９】
インターホンに来訪者を撮影するカメラを備え、前記カメラに人が映っている際は常に照明を点灯させる請求項１８記載の照明装置。
【請求項２０】
郵便物を受け取るポスト、又は住居人の氏名を表示する表札を付加することができる請求項１から請求項１９のいずれか１項に記載の照明装置。
【発明の詳細な説明】
【技術分野】
【０００１】
本発明は、主に住宅の玄関等に設置され、夜間の照明として利用される照明装置に関するものである。
【背景技術】
【０００２】
従来、照明装置の点灯制御は、人感センサによって人を検知した際に照明を点灯させるように制御し、且つ照度センサを備えることで、周囲の明るさに合わせて照明を自動的に調光する方法が提案されている（例えば、特許文献１参照）。
【０００３】
また、照明の明るさや色調を時間的に変化させて演出効果を持たせるようにした照明装置が提案されている（例えば、特許文献２参照）。
【０００４】
以下、その照明装置の一例について図を参照しながら説明する。
【０００５】
特許文献１について、図５に示すように、周囲の照度を検知する照度センサ１０１と、人体を検知する人体検知センサ１０２と、時間を計測できるタイマー部１０３と、周囲を照らす照明部１０４と、照明を制御する電力制御部１０５を備え、人体を検知した場合に照明を明るく点灯させる、また、周囲の明るさによって照明の明るさを制御する、また、人体検知後に一定時間だけ明るく照らすなどの制御を可能にしている。
【０００６】
特許文献２について、図６に示すように、灯篭形の本体１０６の内部に発光ダイオードを備えた発光部１０７と、発光部１０７の発光を制御する制御部１０８により、例えばローソクの炎のようにゆらぎを演出するように発光させることが可能となっている。また、本体１０６の上部には太陽光パネル１０９と蓄電部１１０を備えることで、日中の太陽光発電による電力を蓄電部１１０に蓄えて夜間に発光部１０７を発光させる電力を補っている。
【先行技術文献】
【特許文献】
【０００７】
【特許文献１】実開平１−１５８６９７号公報
【特許文献２】特開２００２−３３４６０６号公報
【発明の概要】
【発明が解決しようとする課題】
【０００８】
このような従来の照明装置では、光による演出効果を得る機能や、人を検知して照明を点灯する機能、防犯のために夜間に人を検知した場合に威嚇発光する機能等について、それらの機能を兼ね備えて且つ適切な時間に必要な照明機能を適宜使い分けることができないという課題を有していた。
【０００９】
また、主に住宅のエントランスに設置して自然エネルギーにより発電した電力によって照明を点灯させる照明装置は、自然エネルギーを取り出して有効利用する創エネルギーの象徴であり、購入者が地球環境改善に貢献していることを外部に広く認知されることで周囲の環境意識を高める必要がある。
【００１０】
そこで本発明は、上記従来の課題を解決するものであり、光による演出効果を得る演出機能、人を検知して照明を点灯する照明機能、防犯のための威嚇発光機能を適宜選択して動作する照明装置を提供することを目的としている。
【００１１】
また、環境に配慮した創エネルギーの象徴として、モニュメントの価値を高めた照明装置を提供することを目的としている。
【課題を解決するための手段】
【００１２】
そして、この目的を達成するために、本発明の照明装置は、屋外に設置した支柱に風力発電としての外風を受けて回転する風車と、風車と連結して風車の回転により発電する発電機を備え、太陽光発電としての日射を受けて発電する太陽光パネルを備え、風力発電及び太陽光発電により発電した電気を蓄電する蓄電池と、蓄電池の電気により屋外を照らす照明部と、人を検知する人検知手段と、人検知手段の検知信号を受けて照明部の点灯を制御する制御部と、時間を計測する時間計測手段を備え、時間計測手段により計測した時間によって光を調光させる演出モードと、人を検知して照明を点灯する照明モードと、人を検知して威嚇発光する防犯モードを切り替えるように制御したものであり、これにより所期の目的を達成するものである。
【発明の効果】
【００１３】
本発明によれば、実用的な照明機能と、夜間の防犯機能と、遊び心のある演出機能のそれぞれを適宜選択することで、人の生活シーンに合わせた照明の機能を提供できるという効果が得られる。
【００１４】
また、創エネルギーの象徴としてのモニュメントの価値を高め、環境意識の高揚を図ることができるという効果が得られる。
【図面の簡単な説明】
【００１５】
【図１】本発明の実施の形態１の照明装置の構成を示す斜視図
【図２】同照明装置の各機能の動作タイムチャート
【図３】同照明装置の各機能の動作ブロック図
【図４】本発明の実施の形態２の照明装置の構成を示す斜視図
【図５】従来の照明装置の構成を示すブロック図
【図６】従来の照明装置の外観を示す斜視図
【発明を実施するための形態】
【００１６】
本発明の請求項１記載の発明は、屋外に設置した支柱に風力発電としての外風を受けて回転する風車と、風車と連結して風車の回転により発電する発電機を備え、太陽光発電としての日射を受けて発電する太陽光パネルを備え、風力発電及び太陽光発電により発電した電気を蓄電する蓄電池と、蓄電池の電気により屋外を照らす照明部と、人を検知する人検知手段と、人検知手段の検知信号を受けて照明部の点灯を制御する制御部と、時間を計測する時間計測手段を備え、時間計測手段により計測した時間によって光を調光させる演出モードと、人を検知して照明を点灯する照明モードと、人を検知して威嚇発光する防犯モードを切り替えるように制御したものであり、例えば住宅に設置した場合、夕方から宵の口の時間帯に演出モードによる照明を行うことにより、住居人や通りがかりの人に対して光の演出を見せることができ、宵の口から夜間の時間帯に照明モードに切り替えて、住居人の帰宅や来訪者などの人を検知した場合に周囲を照らす照明として機能し、深夜の時間帯に防犯モードに切り替えて不審者などを検知した場合に威嚇発光することで防犯を図るように、時間帯によって必要な照明機能を適宜使い分けることができるという作用を有するので、人の生活シーンに合わせた照明の機能を提供できるという効果が得られる。
【００１７】
また、本発明の請求項２記載の発明は、制御部は、人検知手段によって人を検知した回数を記憶する記憶手段を備え、時間計測手段により計測した一定時間に人を検知した回数から頻度を算出し、頻度が設定値以上又は設定値以下の場合にモードを切り替えるように制御したものであり、人を検知する頻度が高い場合は深夜であっても不審者でないことがあるため、威嚇すべき人とそうでない人を検知する頻度によって区別し、威嚇すべきでない場合は防犯モードでなく照明モードに切り替えることで、必要な照明機能を適宜使い分けることができることから、人の生活シーンに合わせた照明の機能を選択して提供できるという効果が得られる。
【００１８】
また、本発明の請求項３記載の発明は、あらかじめ設定された期間において、記憶手段に蓄積された過去の時間と人検知履歴から検知パターンを予測する予測手段を備えたものであり、検知履歴から予測した検知パターンから例えば住居人や来訪者を検知する時間帯を把握し、その時間帯以外で且つ深夜に人を検知した場合は不審者である可能性があるため、防犯モードを動作させるようにして必要な照明機能を適宜使い分けることができるという作用を有するので、人の生活シーンに合わせた照明の機能を提供できるという効果が得られる。
【００１９】
また、本発明の請求項４記載の発明は、制御部は、人検知手段により人を検知した後、時間計測手段により計測した一定時間経過後に防犯モードとなるように制御したものであり、例えば住宅に設置した場合、一定時間人の出入りが無い場合や来訪者が無い場合は住居人が就寝していると考えられ、その時に人を検知した場合は不審者の可能性があるため、あらかじめ防犯モードに切り替えることにより不審者を威嚇することで防犯を図ることができることから必要な照明機能を適宜使い分けることができるという作用を有するので、人の生活シーンに合わせた照明の機能を提供できるという効果が得られる。
【００２０】
また、本発明の請求項５記載の発明は、演出モードの際に人検知手段により人を検知した場合は、照明モードに切り替えるように制御したものであり、人を検知した場合に周囲を照らすことで必要な照明機能を適宜使い分けることができるという作用を有するので、人の生活シーンに合わせた照明の機能を提供できるという効果が得られる。
【００２１】
また、本発明の請求項６記載の発明は、制御部は、風車の回転数を検知する回転数検知手段を備え、演出モードは風車の回転数と同調して調光するように制御したものであり、光の演出として自然に生じる風を光で表現することにより、人が見た際にゆらぎを感じることができ、人の目に留まるような演出効果を得ることができるという作用を有するので、創エネルギーの象徴としてのモニュメントの価値を高め、環境意識の高揚を図ることができるという効果が得られる。
【００２２】
また、本発明の請求項７記載の発明は、制御部は、演出モード時に照明の色調又は光量又は光の照射方向のいずれか１つ以上を変化させて調光するように制御したものであり、光の演出として、色調や光量、光の方向を変化させることで目で見て楽しめる演出を提供でき、人の目に留まるような演出効果を得ることができるという作用を有するので、創エネルギーの象徴としてのモニュメントの価値を高め、環境意識の高揚を図ることができるという効果が得られる。
【００２３】
また、本発明の請求項８記載の発明は、制御部は、照明の色調は少なくとも白色、赤色に発色し、照明モードは白色、防犯モードは赤色を発光するように制御したものであり、照明モード時は白色に照らすことにより、周囲の状況を確認しやすくし、防犯モード時は赤色に発光することで、不審者に対する警告を連想させることで威嚇による心理的作用の向上を図ることができ、必要な照明機能をより高めることができるという作用を有するので、人の生活シーンに合わせた照明の機能を高めて提供できるという効果が得られる。
【００２４】
また、本発明の請求項９記載の発明は、照明が必要となる程度に周囲が暗くなったことを検知する明るさ検知手段を備えたものであり、周囲が暗くなってから必要な照明を動作させることができ、必要な照明機能を適宜使用することができるという作用を有するので、人の生活シーンに合わせた照明の機能を提供できるという効果が得られる。
【００２５】
また、本発明の請求項１０記載の発明は、明るさ検知手段は、太陽光発電の発電量を計測する発電量計測手段であり、発電量は太陽の日射によって発電するため、発電量が小さくなった場合は太陽の日射が少なくなり、周囲が暗いと判別することができるので、照明を必要に応じて動作させることができ、必要な照明機能を適宜使用することができるという作用を有するので、人の生活シーンに合わせた照明の機能を提供できるという効果が得られる。
【００２６】
また、本発明の請求項１１記載の発明は、明るさ検知手段は、照度センサであり、周囲の照度が設定値以下となった場合に暗くなったと判断することができるので、周囲が暗くなってから必要な照明を動作させることができ、必要な照明機能を適宜使用することができるという作用を有するので、人の生活シーンに合わせた照明の機能を提供できるという効果が得られる。
【００２７】
また、本発明の請求項１２記載の発明は、制御部は、防犯モードの際、明るさ検知手段により周囲の明るさが設定値以上となった場合は防犯モードを終了するように制御したものであり、例えば深夜から明け方となり、周囲が明るいと判断した場合は人が活動する時間帯であり、人を検知した場合に不審者である可能性が低いと考えられるため、防犯モードを終了することで必要な照明機能を適宜使い分けることができるという作用を有するので、人の生活シーンに合わせた照明の機能を提供できるという効果が得られる。
【００２８】
また、本発明の請求項１３記載の発明は、制御部は、防犯モードの際、明るさ検知手段により周囲の明るさが時間経過と共に明るくなっていると検知した場合は、照明モードに切り替えるように制御したものであり、例えば深夜から明け方にかけて徐々に周囲が白み始める頃を検知することで、人が活動し始める時間と判断でき、人を検知した場合に不審者でない可能性が高いために防犯モードでなく照明モードを動作させることができるため、必要な照明機能を適宜使い分けることができるという作用を有するので、人の生活シーンに合わせた照明の機能を提供できるという効果が得られる。
【００２９】
また、本発明の請求項１４記載の発明は、制御部は、防犯モードを行わないように制御することができるものであり、例えば深夜に来訪者が来るなどの事情がある際に、あらかじめ防犯モードにならないようにすることで、不審者でない人を威嚇しないようにできるため、必要な照明機能を適宜使い分けることができるという作用を有するので、人の生活シーンに合わせた照明の機能を提供できるという効果が得られる。
【００３０】
また、本発明の請求項１５記載の発明は、照明部を支柱の内部に備え、支柱の外郭は光を透過する素材としたものであり、支柱全体が浮かび上がるような幻想的な演出が可能であり、演出効果を高めることができるという作用を有するので、創エネルギーの象徴としてのモニュメントの価値を高め、環境意識の高揚を図ることができるという効果が得られる。
【００３１】
また、本発明の請求項１６記載の発明は、集音マイクを備えて、設定したレベル以上の音を検知しつつ、人検知手段により人を検知した場合は威嚇発光せず、照明を点灯するものであり、例えば人の会話やバイクで配達する郵便局員など、人を検知しつつ周囲の音が設定したレベル以上検知する場合は不審者でない可能性があるため、防犯モードであっても威嚇発光せず、照明モードに切り替えることができるため、必要な照明機能を適宜使い分けることができるという作用を有するので、人の生活シーンに合わせた照明の機能を提供できるという効果が得られる。
【００３２】
また、本発明の請求項１７記載の発明は、来訪者が住居人を呼び出して会話できるインターホンを備えたものであり、照明装置を来訪者の目に留めることができるという作用を有するので、創エネルギーの象徴としてのモニュメントの価値を高め、環境意識の高揚を図ることができるという効果が得られる。
【００３３】
また、本発明の請求項１８記載の発明は、夜間、インターホンによって会話中は常に照明を点灯させるものであり、インターホンで会話する来訪者は不審者でない可能性が高いため、防犯モードであっても照明モードに切り替えることができるため、必要な照明機能を適宜使い分けることができるという作用を有するので、人の生活シーンに合わせた照明の機能を提供できるという効果が得られる。
【００３４】
また、本発明の請求項１９記載の発明は、インターホンに来訪者を撮影するカメラを備え、カメラに人が映っている際は常に照明を点灯させるものであり、インターホンで会話する来訪者は不審者でない可能性が高いため、防犯モードであっても照明モードに切り替えることができるため、必要な照明機能を適宜使い分けることができるという作用を有するので、人の生活シーンに合わせた照明の機能を提供できるという効果が得られる。
【００３５】
また、本発明の請求項２０記載の発明は、郵便物を受け取るポスト、又は住居人の氏名を表示する表札を付加することができるものであり、照明装置を来訪者や配達に訪れる人の目に留めることができるという作用を有するので、創エネルギーの象徴としてのモニュメントの価値を高め、環境意識の高揚を図ることができるという効果が得られる。
【００３６】
以下、本発明の実施の形態について図面を参照しながら説明する。
【００３７】
（実施の形態１）
図１に実施の形態１の照明装置の構成を示す斜視図を示して説明する。
【００３８】
図１に示すように、照明装置１は、屋外の地面に埋設して固定した支柱２の上部に太陽光発電としての太陽光パネル３を備え、太陽光パネル３により発電した電気を蓄電する蓄電池４（一例としてリチウムイオン電池）を支柱２の内部に備えている。また、支柱２には回転自在に支持した風車５（一例としてサボニウス型の風車）と、風車５と連結した発電機６（一例として直流モータ）を備えることで、外風によって回転する風車５の回転エネルギーを発電機６によって電力に変換する風力発電を行い、太陽光発電と同じく、発電した電力を蓄電池４に蓄電する構成となっている。
【００３９】
また、照明装置１の内部には、太陽光パネル３により発電した電力量を計測する発電量計測手段７（一例として電力計）と、風車５の回転数を検知する回転数検知手段８（一例としてタコメーター）を備えている。
【００４０】
一方、支柱２には内部に発光ダイオード９を設けたことにより周囲を照らす照明部１０と、支柱２の周囲の人を検知する人検知手段１１（一例として赤外線センサ）と、時間を計測する時間計測手段１２（一例としてタイマー）と、周囲の明るさを検知する明るさ検知手段１３（一例として照度センサ）と、周囲の音の大きさを検知できる集音マイク１４と、照明部１０の照明の動作の制御及び調光を制御できる制御部１５（一例としてマイコンを搭載した制御回路）を備えている。制御部１５は、時間計測手段１２による時間情報、人検知手段１１による人検知情報、回転数検知手段８による回転数情報、明るさ検知手段１３による明るさの情報、集音マイク１４による音の大きさの情報を読み取って照明部１０の制御を可能にしている。
【００４１】
また、制御部１５により照明部１０の調光を行う方法として、照明部１０への通電電力を増減させることによって照明の光量を変化させることが可能であり、また、照明部１０に備えた発光ダイオード９は、一例として青色、黄色、赤色を独立して発光させることができるようにし、制御部１５によって各色の発光ダイオード９への通電量を独立して制御できるようにして、照明の色調を変化させることが可能となっている。
【００４２】
また、制御部１５には人検知手段１１によって人を検知した回数を記憶する記憶手段１６（一例としてメモリー）を備えることで、時間計測手段１２の時間情報と人を検知した回数から、人を検知する頻度を算出することができ、さらに、記憶手段１６に蓄積された過去の時間と人検知履歴から人を検知するパターンを予測する予測手段１７（一例としてマイコンの演算プログラム）を備えている。
【００４３】
上記構成により、日中は太陽光発電及び風力発電により発電した電力を蓄電池４に蓄電し、夜間は風力発電のみ発電しつつ、必要時に照明部１０を点灯させて照明を得る照明装置１となる。
【００４４】
以下に照明の動作について、図２に各機能の動作タイムチャート及び図３に各機能の動作のブロック図を示して説明する。
【００４５】
図２及び図３に示すように、時間計測手段１２により、日暮れになる時間（一例として１７時）に演出モードとして照明部１０を常時調光させながら点灯し、夜中になる時間（一例として２０時）に照明モードとして人検知手段１１により人を検知した時のみ照明を点灯し、深夜になる時間（一例として２４時）に防犯モードとして人検知手段１１により人を検知した時のみ照明を点滅させるように制御することで、必要な照明機能を適宜使い分けることができるという作用を有するので、人の生活シーンに合わせた照明の機能を提供できるという効果が得られる。
【００４６】
このとき、例えば演出モードは青色系の光で調光すると、色の印象から見る人を落ち着かせたり、夜の静寂を表現したりすることができ、また、照明モードは白色系の光を点灯させると白色の蛍光灯のように周囲の状況を把握しやすく、実用的な照明となり、また、防犯モードは赤色系の光を点滅させることにより警告を表現し、侵入者に対する威嚇を行うことができる。
【００４７】
上記一例に限らず、必要に応じて各モードの色調や調光方法を変更できるようにしても良い。
【００４８】
また、時間計測手段１２のみでなく、人検知手段１１によって人を検知した回数を記憶手段１６により記憶し、時間計測手段１２により計測した時間から頻度を算出することで、より適切な照明モードを提供することができる。
【００４９】
一例として、制御部１５は、防犯モードの際に、頻度の設定値として１回／１時間を越える場合は防犯モードでなく照明モードに切り替えを行い、１回／１時間を下回る場合は防犯モードを継続するように制御することができる。
【００５０】
上記のように制御すると、例えば深夜に来訪者が訪れた場合、最初は防犯モードであるために威嚇発光するが、住居人が出迎えに行ったことによって人検知手段１１が再度人を検知した場合や、来訪者が一旦住宅内に入った後に短時間で出ていく場合など、１時間以内に２回以上人を検知した場合は侵入者ではない可能性があるため、照明モードに切り替えることで必要な照明機能を適宜使い分けることができるという作用を有するので、人の生活シーンに合わせた照明の機能を提供できるという効果が得られる。
【００５１】
さらに、制御部１５は、あらかじめ設定された期間において、記憶手段１６に蓄積された過去の時間と人検知履歴から検知パターンを予測する予測手段１７によって照明の動作を制御することで、より適切な照明モードを提供することができる。
【００５２】
一例として、制御部１５は、あらかじめ設定された期間として、前日を設定する人検知履歴をし、前日の深夜の時間に人を検知した履歴がある場合、翌日の同時刻に人検知手段１１により人を検知した場合は防犯モードでなく照明モードに切り替えて照明を点灯するように制御することができる。
【００５３】
上記のように制御すると、例えば深夜に定期的に来訪者が訪れる場合、深夜であっても侵入者ではない可能性があるため、防犯モードでなく照明モードに切り替えることで必要な照明機能を適宜使い分けることができるという作用を有するので、人の生活シーンに合わせた照明の機能を提供できるという効果が得られる。
【００５４】
また、あらかじめ設定された期間は、１週間や１ヶ月と長期間設定することもできるし、特定の曜日や、例えばお盆やお正月といった特定の期間だけを設定することもできるようにすることで、細やかな照明動作を制御することもできる。
【００５５】
また、更なる照明動作の制御として、制御部１５は、人検知手段１１により人を検知した後、時間計測手段１２により計測した一定時間経過後に防犯モードとなるように制御することで、より適切な照明モードを提供することができる。
【００５６】
一例として、最後に人を検知してから一定時間として２４時間、人を検知しない場合には夜中であっても照明モードでなく防犯モードを動作することができる。
【００５７】
上記のように制御すると、例えば住居人が旅行などによって長期間留守にする場合、夜間に人を検知した際は侵入者である可能性があるため、あらかじめ照明モードでなく防犯モードに切り替えておくことで必要な照明機能を適宜使い分けることができるという作用を有するので、人の生活シーンに合わせた照明の機能を提供できるという効果が得られる。
【００５８】
また、周囲の明るさを検知する明るさ検知手段１３により、時間計測手段１２によって照明が必要であると予測するのではなく、照明が必要になったことを直接検知して判別することができるので、例えば夏季と冬季の季節差による日の長さの違いがあっても、より適切なタイミングで照明を提供することができる。
【００５９】
明るさ検知手段１３の一例として、照度センサを適用することができ、判別基準として日中の最大照度を１００％、深夜の最小照度を０％とし、照度が１０％となった時点で照明が必要であると判別することができる。
【００６０】
また、明るさ検知手段１３の別の一例として、太陽光パネル３によって発電する発電量を計測する発電量計測手段７によって判別することができ、判別基準として日中の最大発電量を１００％、深夜の最小発電量を０％とし、発電量が１０％となった時点で照明が必要であると判別することができる。この際、発電量でなく、発電電圧を検知して判別しても同様の効果がある。これは、太陽光パネル３は、太陽の日射によって発電するため、発電量や発電電圧は太陽の日射が少なくなると減少するため、発電量や発電電圧を検知しておくことで周囲が暗くなってきたことを判別することができるためである。
【００６１】
上記の明るさ検知手段１３によって、日暮れになるタイミングだけでなく、夜明けになるタイミングも検知できるため、防犯モードの際に、明るさ検知手段１３により周囲の明るさが時間経過とともに明るくなっていると検知した場合は照明モードに切り替えるように制御することで、より適切な照明を提供することができる。
【００６２】
上記のように制御すると、例えば明け方近くになると朝刊を配達する新聞配達員などの侵入者でない人を検知する場合があるため、時間と共に明るくなっていることを判別して防犯モードから照明モードに切り替えておくように制御することができ、必要な照明機能を適宜使い分けることができるという作用を有するので、人の生活シーンに合わせた照明の機能を提供できるという効果が得られる。
【００６３】
また、制御部１５は、あらかじめ防犯モードを行わないように制御することもでき、例えば照明装置１を住宅でなく、２４時間人が出入りするようなコンビニエンスストアやファーストフード店などに設置した場合は深夜であっても防犯モードにならないように制御することができ、より適切な照明を提供することができる。
【００６４】
また、制御部１５は、集音マイク１４により、設定したレベル以上の音を検知しつつ、人検知手段１１により人を検知した場合は、防犯モードであっても照明モードに切り替わって照明を点灯するように制御することで、より適切な照明を提供することができる。
【００６５】
一例として、音のレベルとして騒音レベルを検知できるようにし、騒音レベルが４０ｄＢ以上となった場合は防犯モードであっても照明モードに切り替えるように制御することができる。
【００６６】
上記のように制御することで、例えば来訪者が会話しながら出入りする場合や、来訪者が車やバイクに乗って訪れる場合などが想定されるため、あらかじめ防犯モードでなく照明モードに切り替えておくように制御することができ、必要な照明機能を適宜使い分けることができるという作用を有するので、人の生活シーンに合わせた照明の機能を提供できるという効果が得られる。
【００６７】
以下、照明動作における演出モードの動作方法について詳しく説明する。
【００６８】
演出モードは、創エネルギーの象徴としての照明装置１を住居人や外部の人々が見ることで環境意識の高揚を図るため、光の演出のテーマとしては環境を表現するようなものが望ましい。
【００６９】
本発明では、回転数検知手段８によって検知した風車５の回転数と同調して照明を調光するように制御することで、自然の風のゆらぎを照明の光によって表現し、人の目に留まるような演出効果を得ることができる。
【００７０】
上記のように制御することで、例えば住居人が室内に居ながらにして屋外の自然の風を感じられること、また、通りがかりの人も光の演出を見ることで環境を感じられる創エネルギーの象徴としてモニュメントの価値を高め、環境意識の高揚を図ることができる。
【００７１】
また、照明の演出方法として、照明の色調、光量、照射方向を変化させるように制御しても良く、例えば風車５の回転数が高いほど光量を多くし、風車５の回転数が低いほど光量を少なくすれば、風が強いと明るく、風が弱いと暗くなるような風のゆらぎを表現することができる。
【００７２】
また、さらに支柱２の外郭は光を透過する素材（一例として半透明プラスチック）とすることで、内部の照明部１０が点灯すると、支柱２の内部で光を乱反射させて支柱２の全体が浮かび上がるような幻想的な演出をすることができ、同様の効果が得られる。
【００７３】
（実施の形態２）
本発明の実施の形態２は、実施の形態１と同一部分については同一番号を付し、詳細な説明は省略する。
【００７４】
図４に実施の形態２の照明装置１の構成を示す斜視図を示して説明する。
【００７５】
図４に示すように、照明装置１は、屋外の地面に埋設して固定した支柱２の上部に太陽光発電としての太陽光パネル３を備え、太陽光パネル３により発電した電気を蓄電する蓄電池４を支柱２の内部に備えている。また、支柱２には回転自在に支持した風車５と、風車５と連結した発電機６を備えることで、外風によって回転する風車５の回転エネルギーを発電機６によって電力に変換する風力発電を行い、太陽光発電と同じく、発電した電力を蓄電池４に蓄電する構成となっている。
【００７６】
一方、支柱２には内部に発光ダイオード９を設けたことにより周囲を照らす照明部１０と、照明部１０の照明の動作の制御及び調光を制御できる制御部１５を備えている。
【００７７】
上記の実施の形態１の構成に加え、来訪者が住居人を呼び出して会話できるインターホン１８、及びインターホン１８には来訪者を撮影するカメラ１９を備えている。
【００７８】
またさらに、支柱２には郵便物を受け取るポスト２０、住居人の氏名を表示する表札２１を備えている。
【００７９】
上記構成により、来訪者はインターホン１８を使用する際に、創エネルギー機器である照明装置１を認知するため、創エネルギーの象徴としてモニュメントの価値を高め、環境意識の高揚を図ることができる。
【００８０】
さらに、ポスト２０や表札２１を備えることで、例えば初めての来訪者が住宅を確認する際に表札２１を見るとき、また、郵便配達員がポスト２０に郵便物を投函するとき、また、住居人がその郵便物をポスト２０から回収するときに創エネルギー機器である照明装置１を認知するため、同様の効果がある。
【００８１】
また、照明の動作として、制御部１５は、夜間、インターホン１８によって会話中は常に照明を点灯させるように制御することで、人の生活シーンに合わせた照明の機能を提供できるという効果が得られる。
【００８２】
またさらに、制御部１５は、カメラ１９によって来訪者を確認している間は常に照明を点灯させるように制御することで、同様の効果が得られる。
【産業上の利用可能性】
【００８３】
本発明にかかる照明装置は、建築物のエントランスに設置する照明装置や街路灯として有用であり、また、山間部や避難場所等の電源が得らない場所に設置する独立電源型の照明装置にも適用できる。
【符号の説明】
【００８４】
１    照明装置
２    支柱
３    太陽光パネル
４    蓄電池
５    風車
６    発電機
７    発電量計測手段
８    回転数検知手段
９    発光ダイオード
１０  照明部
１１  人検知手段
１２  時間計測手段
１３  明るさ検知手段
１４  集音マイク
１５  制御部
１６  記憶手段
１７  予測手段
１８  インターホン
１９  カメラ
２０  ポスト
２１  表札
【図１】
2011060529.tif 000003
【図２】
2011060529.tif 000004
【図３】
2011060529.tif 000005
【図４】
2011060529.tif 000006
【図５】
2011060529.tif 000007
【図６】
2011060529.tif 000008